(57)【要約】【課題】被看護・介護者及び看護・介護者の双方に大きな負担をかけることなく看護・介護できるようにする。【解決手段】被看護・介護者を看護・介護するために看護・介護者が着用する看護・介護用装着具１であって、看護・介護者の腰部に捲回される腰部捲回ベルト２と、該腰部捲回ベルト２に連結される位置調整可能な左右の両肩掛けベルト１０，１０と、左右の両肩掛けベルト１０，１０の内面に固着されたパッド２２，２２と、腰部捲回ベルト２の外面に縫着された把持部２５ａ、及び、左右の両肩掛けベルト１０，１０の肩部、胸部、肩甲骨部の外面に固着された紐状の把持部２５ｂ〜２５ｄとから構成する。さらに、看護・介護用装着具１の上から看護・介護用上着３０を着用し、看護・介護用上着３０の切り口３３，…から看護・介護用装着具１の把持部２５ａ〜２５ｄを外部へ引き出す。【選択図】    図１
2005034260.tif 000002
【特許請求の範囲】
【請求項１】
被看護・介護者を看護・介護するために看護・介護者が着用する看護・介護用装着具であって、看護・介護者の上半身に装着可能なベルトと、該ベルトに固着された被看護・介護者用の把持部とを備えたことを特徴とする看護・介護用装着具。
【請求項２】
ベルトの内面には、パッドが固着されてなることを特徴とする請求項１に記載の看護・介護用装着具。
【請求項３】
ベルトは、腰部に捲回される腰部捲回ベルトと、該腰部捲回ベルトに連結される位置調整可能な左右の両肩掛けベルトとから構成され、しかも、把持部は、腰部捲回ベルトの外面、又は、左右の両肩掛けベルトの外面の少なくともいずれか一方に固着され、さらに、パッドは、腰部捲回ベルトの内面、又は、左右の両肩掛けベルトの内面の少なくともいずれか一方に固着されてなることを特徴とする請求項１又は２に記載の看護・介護用装着具。
【請求項４】
請求項１乃至３のいずれか１項に記載の看護・介護用装着具の把持部の位置に合わせて形成された切り口と、該切り口を開閉するための開閉部材とを有することを特徴とする看護・介護用上着。
【請求項５】
看護・介護者の肩部に看護・介護用装着具の肩掛けベルトのパッドを当接し、腰部捲回ベルトを締結して看護・介護用装着具を着用し、被看護・介護者を看護・介護用装着具の肩掛けベルトの外面に固着された把持部に把持させた状態にして看護・介護するようにしたことを特徴とする看護・介護用装着具による看護・介護方法。
【発明の詳細な説明】
【０００１】
【発明の属する技術分野】
本発明は、病人や寝たきり老人、身体障害者などの被看護・介護者を看護・介護するために、看護・介護者が着用する看護・介護用装着具及び看護・介護用上着並びに看護・介護用装着具による看護・介護方法に関する。
【０００２】
【従来の技術】
従来の看護・介護用装着具としては、例えば、特開２００２−２４９９０６号に示すように、８の字形状のベルトの円弧部を、ズボンの腰部の左右両側の位置にそれぞれ形成された複数の挿通穴から外部へ導出したものが公知になっている。
【０００３】
そして、看護・介護用衣服としてのズボンを被看護・介護者に予め着用し、看護・介護者が、被看護・介護者に着用させたズボンの挿通穴から導出されているベルトの円弧部を把持し、被看護・介護者を抱き起して排便などの看護・介護を行っている。
【０００４】
【発明が解決しようとする課題】
しかしながら、前記従来の看護・介護用装着具の場合、被看護・介護者に予め着用させるため、被看護・介護者への着用作業が必要になる。例えば、被看護・介護者を抱き起こす際、被看護・介護者に看護・介護用装着具を装着した後、被看護・介護者を看護・介護者の衣服や身体を把持させた状態で抱き起こすことになるが、被看護・介護者にとっては、看護・介護用装着具を着用するという作業が苦痛になる場合がある。しかも、被看護・介護者にとって、看護・介護者の衣服や身体は把持しにくく、被看護・介護者にとっては大きな負担になる。さらに、ベルトが８の字形状であるため、交差部が被看護・介護者の股間に当接することになり、被看護・介護者の股間に食い込む場合があるという問題もある。一方、看護・介護者にとっては、被看護・介護者が看護・介護者の衣服や身体を十分に把持できない状態で、被看護・介護者を抱き起こすのには多大の労力を要する。よって、看護・介護者及び被看護・介護者の双方に負担がかかるという問題がある。
【０００５】
そこで、本発明は上記問題点に鑑み、被看護・介護者及び看護・介護者の双方に大きな負担をかけることなく看護・介護できる看護・介護用装着具及び看護・介護用上着並びに看護・介護用装着具による看護・介護方法を提供することを目的とする。
【０００６】
【課題を解決するための手段】
上記課題を解決するために、本発明の看護・介護用装着具は、請求項１に示す如く、被看護・介護者を看護・介護するために看護・介護者が着用する看護・介護用装着具であって、看護・介護者の上半身に装着可能なベルトと、該ベルトに固着された被看護・介護者用の把持部とを備えたものである。
【０００７】
なお、ここでいう看護・介護者の上半身に装着可能なベルトとは、胴部（腰部）、胸部、肩部、肩甲骨部の少なくともいずれか一つに装着できるベルトをいう。
【０００８】
したがって、被看護・介護者に看護・介護用衣服を着用するのではなく、看護・介護者に着用するため、被看護・介護者の着用作業に対する負担がなくなる。また、被看護・介護者が、看護・介護者の着用した看護・介護用衣服の把持部を把持することによって、看護・介護者及び被看護・介護者が互いにしっかりと抱き合えるようになり、被看護・介護者の負担が大幅に軽減される。
【０００９】
さらに、看護・介護者は、被看護・介護者が看護・介護用装着具の把持部を把持することで、被看護・介護者を抱き抱えやすくなる。よって、看護・介護者の負担も大幅に軽減されるのである。
【００１０】
また、請求項２に示す如く、パッドをベルトの内面に固着するようにしてもよい。
【００１１】
この場合、被看護・介護者が看護・介護者の着用した看護・介護用衣服の把持部を把持した際、ベルトの食い込みがパッドによって緩和され、より看護・介護しやすくなる。
【００１２】
さらに、請求項３に示す如く、ベルトを、腰部に捲回される腰部捲回ベルトと、該腰部捲回ベルトに連結される位置調整可能な左右の両肩掛けベルトとから構成し、しかも、把持部を、腰部捲回ベルトの外面、又は、左右の両肩掛けベルトの外面の少なくともいずれか一方に固着し、さらに、パッドを、腰部捲回ベルトの内面、又は、左右の両肩掛けベルトの内面の少なくともいずれか一方に固着するようにしたものである。
【００１３】
よって、看護・介護者の上半身、即ち、腰部、肩部、胸部、肩甲骨部にかけて安定した状態でベルトを装着できるようになる。例えば、被看護・介護者が腰部捲回ベルトの外面に固着された把持部を把持した場合には、腰部捲回ベルトに荷重がかかることになるが、腰部捲回ベルトに連結された肩掛けベルトによって荷重が分散されることになり、腰部及び肩部で被看護・介護者を支持できるようになる。また、肩掛けベルトの場合には、肩部、胸部、肩甲骨部の少なくともいずれか一つの位置に把持部を固着すれば、被看護・介護者が把持しやすい位置を選択できると共に、被看護・介護者が負担のかからない姿勢をとることができる。さらに、看護・介護者は、看護・介護者自身の上半身に被看護・介護者の上半身が近接した状態になることで、被看護・介護者の重心が看護・介護者の間近に位置することになり、被看護・介護者をしっかりと抱持できるようになると共に、被看護・介護者を安定支持できるようになる。
【００１４】
加えて、本発明の看護・介護用上着は、請求項４に示す如く、請求項１乃至３のいずれか１項に記載の看護・介護用装着具の把持部の位置に合わせて切り口を形成し、該切り口を開閉するための開閉部材を設けたものである。
【００１５】
そうすれば、看護・介護用上着の切り口を開放した状態で、看護・介護用上着を着用した場合、看護・介護用装着具の把持部が看護・介護用上着の切り口から露出することになり、看護・介護用上着によって看護・介護用装着具の把持部以外の部分が隠れることになる。一方、看護・介護用上着の切り口を閉塞した状態で、看護・介護用上着を着用した場合、看護・介護用装着具の全ての部分を隠すことができる。また、看護・介護用上着、及び、看護・介護用装着具は、病院施設での白衣、介護施設及び訪問介護におけるユニホームを着用した状態でも使用することができる。
【００１６】
また、本発明の看護・介護用装着具による看護・介護方法は、請求項５に示す如く、看護・介護者の肩部に看護・介護用装着具の肩掛けベルトのパッドを当接し、腰部捲回ベルトを締結して看護・介護用装着具を着用し、被看護・介護者を看護・介護用装着具の肩掛けベルトの内面に固着された把持部に把持させた状態にして看護・介護するようにしたものである。
【００１７】
そうすれば、被看護・介護者及び看護・介護者の負担の少ない理想的な看護・介護が実現され、これからの高齢化社会に貢献できる。
【００１８】
【発明の実施の形態】
本発明の一実施形態につき、図１〜図３参照して説明する。
本発明の看護・介護用装着具１は、看護・介護者の上半身の胴部（腰部）に捲回される腰部捲回ベルト２と、左右の両肩掛けベルト１０，１０と、左右の両肩掛けベルト１０，１０の間に懸架された連結ベルト１５ａ〜１５ｃと、左右の両肩掛けベルト１０，１０の内面に固着されたパッド２２，２２と、腰部捲回ベルト２に縫着された紐状の把持部２５ａ，２５ａ、及び、左右の両肩掛けベルト１０，１０に縫着された紐状の把持部２５ｂ〜２５ｄとから構成されている。
【００１９】
腰部捲回ベルト２の両端部には、凹状接続部材３、及び、凸状接続部材４が設けられており、両接続部材３，４の凹凸嵌合によって着脱可能に構成されている。しかも、長さ調整用のバックル５が設けられており、看護・介護者のウエストに合わせて調整できるようになっている。さらに、腰部捲回ベルト２の前部の外面の両側には、左右の両肩掛けベルト１０，１０の紐状の把持部２５ａが縫着されている。加えて、腰部の把持部２５ａは、二つ一組で構成され、例えば、車椅子に載上している被看護・介護者を、車椅子から歩行させたり、入浴している看護・介護者を浴槽から出したりする場合、又は、畳の上に寝ている被看護・介護者を看護・介護する場合に適している。
【００２０】
左右の両肩掛けベルト１０，１０は、前側の両端部が腰部捲回ベルト２の前部に下方から挿通されて上方に導出され、さらに、左右の両肩掛けベルト１０，１０の前側の下部に取り付けられたバックル１１，１１に捲回されて長さ調整できるようになっている。左右の両肩掛けベルト１０，１０の後側の両端部には、その両端部を折り返すことによって腰部捲回ベルト２の挿通部１２，１２が形成されている。
【００２１】
連結ベルト１５ａ〜１５ｃの両端部は、左右の両肩掛けベルト１０，１０の胸部、肩甲骨部の上側、肩甲骨部の下側の位置にそれぞれ縫着されている。そして、胸部の連結ベルト１５ａには、腰部捲回ベルト２と同様に、凹状接続部材１９、及び、凸状接続部材２０が設けられており、両接続部材１９，２０の凹凸嵌合によって着脱可能に構成されている。さらに、胸部の連結ベルト１５ａには、長さ調整用のバックル２１が設けられ、看護・介護者の胸囲に合わせて調整可能になっている。加えて、肩甲骨部の上側の連結ベルト１５ｂ、及び、肩甲骨部の下側の連結ベルト１５ｃは、看護・介護者の肩甲骨部の上側及び下側に当接することになり、看護・介護用装着具１が看護・介護者の上半身にフィットすることになる。なお、図１が斜視図であるため、肩甲骨部の上側の連結ベルト１５ｂが首の付け根に当接するように見えるが、着用した場合には、看護・介護者の肩甲骨部の上側に当接する。
【００２２】
なお、腰部捲回ベルト２、左右の両肩掛けベルト１０，１０、連結ベルト１５ａ〜１５ｃは、合成樹脂製のもの、或いは、入浴介護に適用すべく防水加工の施された布が使用されている。
【００２３】
パッド２２，２２は、幅が１０ｃｍ、厚さが２〜３ｃｍ程度で、装着状態においては、背中の肩甲骨部から肩部、胸部にかけて当接する長さを有しており、荷重のかかった際の肩掛けベルト１０，１０の食い込みを緩和している。
【００２４】
把持部２５ｂ〜２５ｄは、二つ一組で構成され、左右の両肩掛けベルト１０，１０の外面の左右の胸部、肩部、肩甲骨部の位置にそれぞれ縫着されており、それぞれの位置で、被看護・介護者の抱き起こす位置が異なることになる。例えば、胸部の位置の把持部２５ｂにおいては、被看護・介護者をベッドから若干抱き起こして寝返りさせる場合、肩部の位置の把持部２５ｃにおいては、仰臥の姿勢から座位の姿勢にする場合、肩甲骨部の位置の把持部２５ｄにおいては、被看護・介護者をベッドから抱き起こして排便させる場合、又は、被看護・介護者の腕を看護・介護者の肩甲骨部に回して肩組みした状態で被看護・介護者を歩行させる場合に適している。つまり、抱き起こしたり、歩行させたりする被看護・介護者の重心の位置を、看護・介護する状態に合わせて看護・介護者の直前に位置させ、抱き起こしたり、歩行させたりする看護・介護作業の負担を軽減させている。
【００２５】
つぎに、本発明の看護・介護用上着３０は、前身ごろ３１の打合せ部位に縫着された大ファスナ３２と、腰部、肩部、胸部、肩甲骨部のそれぞれに形成された切り口３３，…と、該各切り口３３，…に縫着された小ファスナ３４，…とを有している。そして、各切り口３３，…は、上述した看護・介護用装着具１の把持部２５ａ〜２５ｄの位置に合わせて形成されており、各切り口３３，…から看護・介護用装着具１の把持部２５ａ〜２５ｄが導出されている。
【００２６】
つぎに看護・介護用装着具１、及び、看護・介護用上着３０の使用態様、並びに看護・介護用装着具１による看護・介護方法について説明する。
【００２７】
まず、看護・介護者は、看護・介護用装着具１の腰部捲回ベルト２の両接続部材３，４、及び、胸部の連結ベルト１５ａの両接続部材１９，２０を離脱させた状態で、左右の両パッド２２，２２を看護・介護者の肩部に当接し、腰部捲回ベルト２の両接続部材３，４、及び、胸部の連結ベルト１５ａの両接続部材１９，２０を嵌合させて接続し、看護・介護用装着具１を着用する。
【００２８】
その後、看護・介護用上着３０の大ファスナ３２、及び、各小ファスナ３４，…を開放した状態で、看護・介護用上着３０を看護・介護用装着具１の上から装着し、各小ファスナ３４，…の開口部から看護・介護用装着具１の各把持部２５ａ〜２５ｄを引き出す。この引き出された腰部、胸部、肩部、肩甲骨部の把持部２５ａ〜２５ｄを、被看護・介護者に把持させて、被看護・介護者及び看護・介護者の双方が抱き合うようにし、看護・介護者が被看護・介護者を抱き起して、被看護・介護者の寝返りや移動、排便などの看護・介護作業を行う。
【００２９】
そして、看護・介護用上着３０は、別途設ける必要はなく、病院施設での白衣、又は、介護施設や訪問看護におけるユニホームに複数の切り口を設けて図示した看護・介護用上着３０としてもよい。そして、このように改良した看護・介護用上着３０は、看護・介護環境に合わせて着用できる。例えば、病院施設での看護の場合には、看護・介護用装着具１を着用し、その上から白衣を改造した看護・介護用上着３０を着用する。また、介護施設及び訪問看護の場合には、ユニホームを改造した看護・介護用上着３０を着用する。それによってそれぞれの看護・介護者のユニホームを着用しながら看護・介護用装着具１を使用することができる。
【００３０】
なお、前記実施形態の場合、看護・介護用上着３０は、長袖が縫着されたものとしたが、半袖の縫着されたもの、又は、ベストであってもよい。さらに、看護・介護用装着具１のままであってもよい。加えて、看護・介護用上着３０は、看護・介護用装着具１の上から着用してもよい。
【００３１】
また、前記実施形態の場合、紐状の把持部２５ａを腰部捲回ベルト２の前部の外面の両側に縫着したが、左右の真横の外面、後部の外面の両側の少なくともいずれか一つに縫着してもよい。
【００３２】
さらに、紐状の把持部２５ａ〜２５ｄとしたが、合成樹脂製のコ字形状の把持部であってもよい。但し、被看護・介護者が把持しやすく、且つ、把持した際に手の痛みがないことを考慮すれば、可撓性及び柔軟性を有するものが好ましい。
【００３３】
加えて、看護・介護用上着３０の各切り口３３，…に小ファスナ３４，…を縫着したが、各切り口３３のままでもよく、補強するための布を縫着するようにしてもよい。
【００３４】
【発明の効果】
以上説明したように、本発明の看護・介護用装着具は、看護・介護者の上半身に装着可能なベルトと、該ベルトに固着された被看護・介護者用の把持部とを備えたので、被看護・介護者への着用作業が不要になると共に、安心した看護・介護を受けることができる。一方、看護・介護者にとっても、被看護・介護者への看護・介護作業の負担を軽減できる効果がある。
【００３５】
また、パッドをベルトの内面に固着することで、ベルトの食い込みによる看護・介護者の肉体的負担を有効に回避できる。
【００３６】
さらに、腰部に捲回される腰部捲回ベルトと、該腰部捲回ベルトに連結される位置調整可能な左右の両肩掛けベルトとからベルトを構成し、腰部捲回ベルトの外面、又は、左右の両肩掛けベルトの外面の少なくともいずれか一方に把持部を固着し、さらに、腰部捲回ベルトの内面、又は、左右の両肩掛けベルトの内面の少なくともいずれか一方にパッドを固着するようにしたため、余計な負担をかけずして理想的な看護・介護を実現できる効果がある。
【００３７】
加えて、本発明の看護・介護用装着具においては、従来のように被看護・介護者が着用するのではなく、看護・介護者が一人着用するだけでよく、看護・介護用装着具を着用した一人の看護・介護者が、複数の被看護・介護を迅速に看護・介護できる効果がある。
【００３８】
また、本発明の看護・介護用上着は、看護・介護用装着具の把持部の位置に合わせて切り口を形成すると共に、該切り口を開閉するための開閉部材を設けたので、看護・介護する環境に応じて容易に対応できる。
【図面の簡単な説明】
【図１】本発明の看護・介護用装着具の斜視図である。
【図２】看護・介護用装着具を着用した状態の図である。
【図３】看護・介護用装着具及び看護・介護用上着を着用した状態の図である。
【符号の説明】
１  看護・介護用装着具
２  腰部捲回ベルト
３、１９  凹状接続部材
４、２０  凸状接続部材
５、１１、２１  バックル
１０  肩掛けベルト
１２  挿通部
１５ａ〜１５ｃ  連結ベルト
２２  パッド
２５ａ〜２５ｄ  把持部
３０  看護・介護用上着
３１  前身ごろ
３２  大ファスナ
３３  切り口
３４  小ファスナ
【図１】
2005034260.tif 000003
【図２】
2005034260.tif 000004
【図３】
2005034260.tif 000005